(57)【要約】【課題】転送元のファクシミリ装置と転送先のファクシミリ装置とが互いにファクシミリ転送しあってしまうことを防止する。【解決手段】受信した画像を一旦蓄積した後、前記画像を転送する転送機能を備えた第１のファクシミリ装置および第２のファクシミリ装置を含むファクシミリシステムにおいて、前記第１のファクシミリ装置は、前記第２のファクシミリ装置から受信した、転送先情報が自局情報と一致し、かつ転送設定情報が有効を表し、かつ転送設定の更新時刻が自局の転送設定の更新時刻より現在時刻に近いことを判断する判断部とを備え、ファクシミリ画像の転送に際し、前記判断部の判断結果に基づいて前記転送の中断または継続を決定する。【選択図】        図１
2014007661.tif 000002
【特許請求の範囲】
【請求項１】
受信した画像を一旦蓄積した後、前記画像を転送する転送機能を備えた第１のファクシミリ装置および第２のファクシミリ装置を含むファクシミリシステムにおいて、
前記第１のファクシミリ装置は、
自局の受信先である自局情報を記憶する自局情報記憶部と、
受信した画像の転送先である第１の転送先情報を記憶する第１の転送先記憶部と、
転送機能の有効または無効を表す第１の設定情報を記憶する第１の転送設定記憶部と、
前記第１の転送設定記憶部に有効を表す第１の設定情報が記憶されていた場合に、受信した画像を前記第１の転送先情報で示される転送先へ転送する転送部と、
前記第１の転送先情報または前記第１の設定情報が更新された第１の更新時刻を記憶する第１の更新時刻記憶部とを備え、
前記第２のファクシミリ装置は、
受信した画像の転送先である第２の転送先情報を記憶する第２の転送先記憶部と、
転送機能の有効または無効を表す第２の設定情報を記憶する第２の転送設定記憶部と、
前記第２の転送先情報または前記第２の設定情報が更新された第２の更新時刻を記憶する第２の更新時刻記憶部とを備え、
さらに、前記第１のファクシミリ装置は、
前記第２の転送先情報と、前記第２の設定情報と、前記第２の更新時刻とを含む転送設定信号を受信する転送設定受信部と、
前記転送設定受信部が受信した、前記第２の転送先情報が前記自局情報と一致し、かつ前記第２の設定情報が有効を表し、かつ前記第２の更新時刻が前記第１の更新時刻より現在時刻に近いことを判断する判断部とを備え、
前記転送部は、前記画像の転送に際し、前記判断部の判断結果に基づいて前記転送の中断または継続を決定することを特徴とするファクシミリシステム。
【請求項２】
請求項１に記載のファクシミリシステムにおいて、
前記第１のファクシミリ装置の前記転送部は、前記判断部が、前記第２の転送先情報が前記自局情報と一致し、かつ前記第２の設定情報が有効を表し、かつ前記第２の更新時刻が前記第１の更新時刻より現在時刻に近いと判断したとき、前記画像を前記第２のファクシミリ装置へ転送することなく、前記第１の設定情報を無効に設定することを特徴とするファクシミリシステム。
【請求項３】
請求項１に記載のファクシミリシステムにおいて、
前記第１のファクシミリ装置の前記転送部は、前記判断部が、前記第２の転送先情報が前記自局情報と一致し、かつ前記第２の設定情報が有効を表し、かつ前記第２の更新時刻が前記第１の更新時刻より現在時刻に近いと判断したとき、前記画像の前記第２のファクシミリ装置への転送を中断し、所定時間経過後に再び前記転送を試行することを特徴とするファクシミリシステム。
【請求項４】
請求項１から請求項３のいずれか１項に記載のファクシミリシステムにおいて、
前記第１のファクシミリ装置の前記転送部は、前記判断部が、前記第２の転送先情報が前記自局情報と一致せず、または前記第２の設定情報が無効を表し、または前記第２の更新時刻が前記第１の更新時刻より過去であると判断したとき、前記画像を前記第２のファクシミリ装置へ転送することを特徴とするファクシミリシステム。
【請求項５】
自局の受信先である自局情報を記憶する自局情報記憶部と、
受信した画像の第１の転送先情報を記憶する第１の転送先記憶部と、
転送機能の有効または無効を表す第１の設定情報を記憶する第１の転送設定記憶部と、
前記第１の転送設定記憶部に有効を表す第１の設定情報が記憶されていた場合に、受信した画像を前記第１の転送先記憶部に記憶された転送先へ転送する転送部と、
前記第１の転送先記憶部または前記第１の転送設定記憶部が更新された第１の更新時刻を記憶する第１の更新時刻記憶部と、
他のファクシミリ装置から、受信した画像の第２の転送先情報と、転送機能の有効または無効を表す第２の設定情報と、前記第２の転送先情報または前記第２の設定情報が更新された第２の更新時刻とを含む転送設定信号を受信する転送設定受信部と、
前記転送設定受信部が受信した前記第２の転送先情報が前記自局情報と一致し、かつ前記第２の設定情報が有効を表し、かつ前記第２の更新時刻が前記第１の更新時刻より現在時刻に近いことを判断する判断部とを備え、
前記転送部は、前記画像の転送に際し、前記判断部の判断結果に基づいて前記転送の中断または継続を決定することを特徴とするファクシミリ装置。
【発明の詳細な説明】
【技術分野】
【０００１】
本発明は、ファクシミリ通信により受信した画像情報を転送する機能を備えたファクシミリ装置およびファクシミリシステムに関する。
【背景技術】
【０００２】
従来のファクシミリ装置は、操作者が遠隔地から電話機を用いて画像情報の転送機能の設定およびその設定を解除できるようにしている（例えば、特許文献１参照）。
【先行技術文献】
【特許文献】
【０００３】
【特許文献１】特開平５−３２７９９７号公報（段落「００１０」〜段落「００１８」、図１）
【発明の概要】
【発明が解決しようとする課題】
【０００４】
しかしながら、従来の技術においては、２台のファクシミリ装置が互いのファクシミリ装置を受信画像情報の転送先として設定していた場合、操作者が遠隔地から電話機を用いてファクシミリ装置の画像情報の転送機能の設定の解除を試みた際に、当該ファクシミリ装置が回線の使用中であることなどの原因により、その設定を解除できないことがあり、このようなとき、転送元のファクシミリ装置と転送先のファクシミリ装置とが互いにファクシミリ転送しあってしまうことがあるという問題がある。
本発明は、このような問題を解決することを課題とし、転送元のファクシミリ装置と転送先のファクシミリ装置とが互いにファクシミリ転送しあってしまうことを防止することを目的とする。
【課題を解決するための手段】
【０００５】
そのため、本発明は、受信した画像を一旦蓄積した後、前記画像を転送する転送機能を備えた第１のファクシミリ装置および第２のファクシミリ装置を含むファクシミリシステムにおいて、前記第１のファクシミリ装置は、自局の受信先である自局情報を記憶する自局情報記憶部と、受信した画像の転送先である第１の転送先情報を記憶する第１の転送先記憶部と、転送機能の有効または無効を表す第１の設定情報を記憶する第１の転送設定記憶部と、前記第１の転送設定記憶部に有効を表す第１の設定情報が記憶されていた場合に、受信した画像を前記第１の転送先情報で示される転送先へ転送する転送部と、前記第１の転送先情報または前記第１の設定情報が更新された第１の更新時刻を記憶する第１の更新時刻記憶部とを備え、前記第２のファクシミリ装置は、受信した画像の転送先である第２の転送先情報を記憶する第２の転送先記憶部と、転送機能の有効または無効を表す第２の設定情報を記憶する第２の転送設定記憶部と、前記第２の転送先情報または前記第２の設定情報が更新された第２の更新時刻を記憶する第２の更新時刻記憶部とを備え、さらに、前記第１のファクシミリ装置は、前記第２の転送先情報と、前記第２の設定情報と、前記第２の更新時刻とを含む転送設定信号を受信する転送設定受信部と、前記転送設定受信部が受信した、前記第２の転送先情報が前記自局情報と一致し、かつ前記第２の設定情報が有効を表し、かつ前記第２の更新時刻が前記第１の更新時刻より現在時刻に近いことを判断する判断部とを備え、前記転送部は、前記画像の転送に際し、前記判断部の判断結果に基づいて前記転送の中断または継続を決定することを特徴とする。
【発明の効果】
【０００６】
このようにした本発明は、転送元のファクシミリ装置と転送先のファクシミリ装置とが互いにファクシミリ転送しあってしまうことを防止することできるという効果が得られる。
【図面の簡単な説明】
【０００７】
【図１】第１の実施例におけるファクシミリ装置の構成を示すブロック図
【図２】第１の実施例におけるファクシミリシステムの構成を示すブロック図
【図３】第１の実施例におけるＲＡＭの構成を示す説明図
【図４】第１の実施例における受信ジョブリストの構成を示す説明図
【図５】第１の実施例におけるＦＩＦの構成を示す説明図
【図６】第１の実施例における自局番号入力処理の流れを示すフローチャート
【図７】第１の実施例における転送先入力処理の流れを示すフローチャート
【図８】第１の実施例における転送モード入力処理の流れを示すフローチャート
【図９】第１の実施例におけるファクシミリ受信処理の流れを示すフローチャート
【図１０】第１の実施例におけるファクシミリ転送処理の流れを示すフローチャート
【図１１】第１の実施例における転送対象ジョブ探索処理の流れを示すフローチャート
【図１２】第１の実施例におけるファクシミリ送信処理の流れを示すフローチャート
【図１３】第１の実施例における転送失敗処理の流れを示すフローチャート
【図１４】第１の実施例における印刷処理の流れを示すフローチャート
【図１５】第１の実施例における動作時のＲＡＭの構成を示す説明図
【図１６】第１の実施例におけるファクシミリシステムの動作例を示す説明図
【図１７】第１の実施例におけるファクシミリシステムの動作例を示す説明図
【図１８】第２の実施例における受信ジョブリストの構成を示す説明図
【図１９】第２の実施例における転送対象ジョブ探索処理の流れを示すフローチャート
【図２０】第２の実施例における転送失敗処理の流れを示すフローチャート
【図２１】第２の実施例におけるファクシミリシステムの動作例を示す説明図
【発明を実施するための形態】
【０００８】
以下、図面を参照して本発明によるファクシミリ装置およびファクシミリシステムの実施例を説明する。
【実施例１】
【０００９】
図２は第１の実施例におけるファクシミリシステムの構成を示すブロック図である。
図２において、ファクシミリシステム４は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話回線網）に接続されたファクシミリ装置１およびファクシミリ装置２から構成されている。
第１のファクシミリ装置としてのファクシミリ装置１および第２のファクシミリ装置としてのファクシミリ装置２は、本発明が適用されたファクシミリ装置であり、ファクシミリ通信により受信した画像情報を一旦蓄積した後、その画像情報を予め登録された転送先である電話番号にファクシミリ送信する転送機能を備えるファクシミリ装置である。このファクシミリ装置１およびファクシミリ装置２は、共に同じ構成を有しており、その構成は後述する。
【００１０】
また、ＰＳＴＮには、さらに他の一般のファクシミリ装置が接続されており、本実施例では、ファクシミリ装置３が接続されているものとする。ファクシミリ装置３は、本発明が適用されたファクシミリ装置であるとは限らず、例えば従来技術として特開平５−３２７９９７号公報に開示されたファクシミリ装置等であっても良い。
なお、本実施例におけるすべてのファクシミリ装置は、ＩＴＵ（国際電気通信連合）により定められたＴ．３０勧告に基づいてファクシミリ通信を行うものとする。
【００１１】
図１は第１の実施例におけるファクシミリ装置の構成を示すブロック図であり、図２に示すファクシミリ装置１およびファクシミリ装置２の構成を示している。本実施例では、ファクシミリ装置１の構成を代表して説明する。
図１において、ファクシミリ装置１は、制御部１０１と、操作パネル１０２と、ＲＡＭ（Ｒａｎｄｏｍ  Ａｃｃｅｓｓ  Ｍｅｍｏｒｙ）１０３と、ＲＴＣ（Ｒｅａｌ  Ｔｉｍｅ  Ｃｌｏｃｋ）１０４と、プリンタ１０５と、ファクシミリインタフェース１０６と、スキャナ１０７とから構成されている。
【００１２】
制御部１０１は、制御手段としてのＣＰＵ（Ｃｅｎｔｒａｌ  Ｐｒｏｃｅｓｓｉｎｇ  Ｕｎｉｔ：中央処理装置）および記憶手段としてのＲＯＭ（Ｒｅａｄ  Ｏｎｌｙ  Ｍｅｍｏｒｙ）を備え、ＲＯＭに記憶された制御プログラム（ソフトウェア）をＣＰＵが実行する。制御部１０１は、システムバスを介し、操作パネル１０２、ＲＡＭ１０３、ＲＴＣ１０４、プリンタ１０５、ファクシミリインタフェース１０６、およびスキャナ１０７を制御し、ファクシミリ装置１全体の動作を制御する。
制御部１０１は、操作処理部２０１と、印刷処理部２０２と、ファクシミリ受信処理部２０３と、ファクシミリ転送処理部２０４と、ファクシミリ送信処理部２０５とから構成されている。
【００１３】
操作パネル１０２は、ディスプレイ等の表示手段およびキーやタッチパネル等の入力手段を備え、操作者に対する情報の表示および操作者による入力操作の受付を行う。
ＲＡＭ１０３は、記憶手段であり、制御部１０１のＣＰＵによる制御プログラムの実行時に発生する一時的な作業用データを記憶する。
ＲＴＣ１０４は、時刻を計測する計時手段である。
プリンタ１０５は、画像情報を媒体に印刷する印刷手段である。
ファクシミリインタフェース１０６は、ＰＳＴＮを介してファクシミリ通信を行う通信手段である。
【００１４】
スキャナ１０７は、原稿を読み取り、画像情報を生成する画像読み取り手段である。
制御部１０１の操作処理部２０１は、操作パネル１０２を用いて操作者の要求を受付け、その要求を処理するものであり、自局番号入力処理部２３１と、転送先入力処理部２３２と、転送モード入力処理部２３３とから構成されている。
自局番号入力処理部２３１は、自局電話番号の入力を操作者から受付ける自局番号入力処理を行うものであり、その処理の詳細は後述する。
転送先入力処理部２３２は、ファクシミリ受信した画像情報を転送する宛先の入力を操作者から受付ける転送先入力処理を行うものであり、その処理の詳細は後述する。
【００１５】
転送モード入力処理部２３３は、ファクシミリ受信した画像情報を転送するか否かの設定操作を操作者から受付ける転送モード入力処理を行うものであり、その処理の詳細は後述する。
印刷処理部２０２は、プリンタ１０５を用いて画像情報を印刷する印刷処理を行うものであり、その処理の詳細は後述する。
ファクシミリ受信処理部２０３は、ファクシミリインタフェース１０６を用いてファクシミリ受信処理を行うものであり、その処理の詳細は後述する。
【００１６】
転送部としてのファクシミリ転送処理部２０４は、ファクシミリ受信した画像情報を予め登録された電話番号へ転送するファクシミリ転送処理を行うものであり、その処理の詳細は後述する。
ファクシミリ送信処理部２０５は、スキャナ１０７を用いて生成した画像情報を、ファクシミリインタフェース１０６を用いてファクシミリ送信するファクシミリ送信処理を行うものであり、その処理の詳細は後述する。
【００１７】
図３は第１の実施例におけるＲＡＭの構成を示す説明図である。
図３において、ＲＡＭ１０３は、自局番号記憶部３０１と、転送先記憶部３０２と、転送有効フラグ３０３と、設定更新時刻記憶部３０４と、受信ジョブリスト３０５と、転送対象ジョブポインタ３０６とにより構成されている。
自局情報記憶部としての自局番号記憶部３０１は、自局の受信先である自局情報としての自局の電話番号を記憶する領域である。
【００１８】
転送先記憶部３０２は、ファクシミリ受信した画像情報を転送する転送先の転送先情報としての宛先の電話番号を記憶する領域である。
転送設定記憶部としての転送有効フラグ３０３は、ファクシミリ受信した画像情報を転送するか否かを示す設定情報、すなわち転送機能の有効または無効を表す設定情報を記憶する領域である。なお、転送先記憶部３０２と、転送有効フラグ３０３とを総称して「転送設定」と呼ぶこととする
更新時刻記憶部としての設定更新時刻記憶部３０４は、転送先記憶部３０２の転送先情報または転送有効フラグ３０３の設定情報が最後に変更された時刻を記憶する領域である。
【００１９】
上述した転送部としてのファクシミリ転送処理部２０４は、転送有効フラグ３０３に有効を表す設定情報が記憶されていた場合に、受信した画像を転送先記憶部３０２の転送先情報で示される転送先へ転送する。
受信ジョブリスト３０５は、ファクシミリ受信した画像情報と、当該画像情報に係る管理情報とを関連付けて記憶する領域である。
【００２０】
ここで、受信ジョブリスト３０５の構成を図４に基づいて説明する。
図４において、受信ジョブリスト３０５は、画像アドレス列４０１と、状態列４０２とにより構成され、１度のファクシミリ受信につき１つの受信ジョブが生成され、生成された１つの受信ジョブは受信ジョブリスト３０５の画像アドレス列４０１および状態列４０２に１行として記憶される。
【００２１】
画像アドレス列４０１は、ファクシミリ受信した画像情報が記憶されたＲＡＭ１０３上のアドレスを記憶する領域である。
状態列４０２は、ファクシミリ受信した画像情報が次に施される処理を示す情報を記憶する領域である。
このように、１つの受信ジョブについて１つの画像アドレス列４０１および状態列４０２が対応付けて記憶され、受信ジョブリスト３０５を構成している。
【００２２】
図３の説明に戻り、転送対象ジョブポインタ３０６は、転送の対象である受信ジョブを指し示すアドレスを記憶する領域である。
図５は第１の実施例におけるＦＩＦの構成を示す説明図であり、図２に示すファクシミリ装置１およびファクシミリ装置２が送出する、Ｔ．３０勧告に規定された信号であるＮＳＦに含まれるＦＩＦ（Ｆａｃｓｉｍｉｌｅ  Ｉｎｆｏｒｍａｔｉｏｎ  Ｆｉｅｌｄ）の構成を示している。
【００２３】
図５において、ＦＩＦ５００の先頭から第１０バイト目の領域５０１に、図３に示す転送有効フラグ３０３の内容を配置する。
ＦＩＦ５００の先頭から第１１バイト目から第５０バイトの領域５０２に、図３に示す転送先記憶部３０２に記憶された転送先電話番号を配置する。
ＦＩＦ５００の先頭から第５１バイト目から第６２バイトの領域５０３に、図３に示す設定更新時刻記憶部３０４に記憶された時刻を配置する。
【００２４】
本実施例では、ファクシミリ装置１は、転送先記憶部３０２を第１の転送先情報を記憶する第１の転送先記憶部、転送有効フラグ３０３を第１の設定情報を記憶する第１の転送設定記憶部、設定更新時刻記憶部３０４を第１の更新時刻を記憶する第１の更新時刻記憶部として備えている。
また、ファクシミリ装置２は、転送先記憶部３０２を第２の転送先情報を記憶する第２の転送先記憶部、転送有効フラグ３０３を第２の設定情報を記憶する第２の転送設定記憶部、設定更新時刻記憶部３０４を第２の更新時刻を記憶する第２の更新時刻記憶部として備えている。
【００２５】
さらに、ファクシミリ装置１は、ファクシミリ転送処理部２０４を、ファクシミリ装置２から第２の転送先情報と、第２の設定情報と、第２の更新時刻とを含む転送設定信号としてのＴ．３０勧告に規定されたＮＳＦを受信する転送設定受信部、および受信した第２の転送先情報が自局番号記憶部３０１に記憶された自局情報と一致し、かつ受信した第２の設定情報が有効を表し、かつ受信した第２の更新時刻が設定更新時刻記憶部３０４に記憶された第１の更新時刻より現在時刻に近いことを判断する判断部として備え、そのファクシミリ転送処理部２０４はファクシミリ送信された画像情報の転送に際し、その判断結果に基づいて画像情報の転送の中断または継続を決定する。
【００２６】
上述した構成の作用について説明する。
本実施例の図２に示すファクシミリ装置１、２において、ファクシミリ画像の転送機能を利用する場合、操作者は、予め自局電話番号および転送先電話番号を入力して設定し、さらに転送機能を有効に設定する。以下に、ファクシミリ装置が行う、自局電話番号の入力を受付ける自局番号入力処理、転送先電話番号の入力を受付ける転送先入力処理、転送機能を有効に設定する入力を受付ける転送モード入力処理を説明する。
まず、ファクシミリ装置の自局番号入力処理部が行う自局番号入力処理を図６の第１の実施例における自局番号入力処理の流れを示すフローチャートの図中Ｓで表すステップにしたがって図１および図３を参照しながら説明する。
【００２７】
Ｓ１：自局番号入力処理部２３１は、操作パネル１０２を介し、操作者による所定の操作により自局電話番号の入力を受付ける。
Ｓ２：自局電話番号の入力を受付けた自局番号入力処理部２３１は、その自局電話番号を自局番号記憶部３０１に記憶し、設定して本処理を終了する。
次に、ファクシミリ装置の転送先入力処理部が行う転送先入力処理を図７の第１の実施例における転送先入力処理の流れを示すフローチャートの図中Ｓで表すステップにしたがって図１および図３を参照しながら説明する。
【００２８】
Ｓ１０１：転送先入力処理部２３２は、操作パネル１０２を介し、操作者による所定の操作により転送先電話番号の入力を受付ける。
Ｓ１０２：転送先電話番号の入力を受付けた転送先入力処理部２３２は、その転送先電話番号を転送先記憶部３０２に記憶し、設定する。
Ｓ１０３：転送先電話番号を設定した転送先入力処理部２３２は、ＲＴＣ１０４が示す現在時刻を設定更新時刻記憶部３０４に記憶し、本処理を終了する。
【００２９】
次に、ファクシミリ装置の転送モード入力処理部が行う転送モード入力処理を図８の第１の実施例における転送モード入力処理の流れを示すフローチャートの図中Ｓで表すステップにしたがって図１および図３を参照しながら説明する。
Ｓ２０１：転送モード入力処理部２３３は、操作パネル１０２を介し、操作者による所定の操作により転送機能の有効を示す情報または転送機能の無効を示す情報の入力を受付ける。
【００３０】
Ｓ２０２：転送機能の有効を示す情報または転送機能の無効を示す情報の入力を受付けた転送モード入力処理部２３３は、入力された情報が転送機能の有効を示す情報である場合は転送有効フラグ３０３に「真」を記憶し、入力された情報が転送機能の無効を示す情報である場合は転送有効フラグ３０３に「偽」を記憶し、転送モードとして設定する。
Ｓ２０３：転送モードを設定した転送モード入力処理部２３３は、ＲＴＣ１０４が示す現在時刻を設定更新時刻記憶部３０４に記憶し、本処理を終了する。
【００３１】
次に、ファクシミリ受信したときにファクシミリ装置のファクシミリ受信部が行うファクシミリ受信処理を図９の第１の実施例におけるファクシミリ受信処理の流れを示すフローチャートの図中Ｓで表すステップにしたがって図１および図３を参照しながら説明する。
Ｓ３０１：ファクシミリ受信処理部２０３は、ファクシミリインタフェース１０６を用いて電話回線に着信が到来しているか否か（着信の有無）を判定し、到来していないと判定すると、所定の時間間隔で本処理（Ｓ３０１）を繰り返し、到来している（着信有り）と判定すると処理をＳ３０２へ移行する。
【００３２】
Ｓ３０２：着信が到来していると判定したファクシミリ受信処理部２０３は、電話回線を捕捉する。
Ｓ３０３：電話回線を捕捉したファクシミリ受信処理部２０３は、Ｔ．３０勧告に規定された信号であるＮＳＦおよびＤＩＳを送出する。ここで、送出するＮＳＦは、図５に示すＦＩＦを含んでいる。
Ｓ３０４：ＮＳＦおよびＤＩＳを送出したファクシミリ受信処理部２０３は、Ｔ．３０勧告に規定された信号であるＤＣＳを受信したか否かを判定し、受信したと判定すると処理をＳ３０５へ移行し、受信しなかったと判定すると処理をＳ３１１へ移行する。
【００３３】
Ｓ３０５：ＤＣＳを受信したと判定したファクシミリ受信処理部２０３は、通常のファクシミリ受信を行う。通常のファクシミリ受信とは、ファクシミリインタフェース１０６を介し、Ｔ．３０勧告に則って画像情報を受信する処理であり、公知の動作であるため詳細な説明は省略する。
Ｓ３０６：ファクシミリ受信を行ったファクシミリ受信処理部２０３は、電話回線を解放する。
【００３４】
Ｓ３０７：電話回線を解放したファクシミリ受信処理部２０３は、受信した画像情報を受信ジョブとして受信ジョブリスト３０５に記憶する。すなわち、ファクシミリ受信処理部２０３は、受信ジョブリスト３０５に新たな受信ジョブ（行）を追加し、受信した画像情報のＲＡＭ１０３上のアドレスを追加した受信ジョブの図４に示す画像アドレス列４０１に記憶する。
Ｓ３０８：受信ジョブを記憶したファクシミリ受信処理部２０３は、転送有効フラグ３０３が「真」であるか「偽」であるかを判定し、「真」である、すなわち転送が有効であると判定すると処理をＳ３０９へ移行し、「偽」である、すなわち転送が無効であると判定すると処理をＳ３１０へ移行する。
【００３５】
Ｓ３０９：転送が有効であると判定したファクシミリ受信処理部２０３は、「転送待ち」状態を表す値をＳ３０７において追加した受信ジョブの図４に示す状態列４０２に記憶し、処理をＳ３０１へ移行する。
Ｓ３１０：転送が無効であると判定したファクシミリ受信処理部２０３は、「印刷待ち」状態を表す値をＳ３０７において追加した受信ジョブの図４に示す状態列４０２に記憶し、処理をＳ３０１へ移行する。
【００３６】
Ｓ３１１：一方、Ｓ３０４において、ＤＣＳを受信しなかったと判定したファクシミリ受信処理部２０３は、Ｔ．３０勧告に規定された信号であるＤＣＮを受信したか否かを判定し、受信したと判定すると処理をＳ３１２へ移行し、受信しなかったと判定すると処理をＳ３１３へ移行する。
Ｓ３１２：ＤＣＮを受信したファクシミリ受信処理部２０３は、電話回線を解放し、処理をＳ３０１へ移行する。
Ｓ３１３：ＤＣＮを受信しなかったファクシミリ受信処理部２０３は、Ｓ３０２における回線捕捉からＴ．３０勧告に則った所定の時間が経過したか否かを判定し、経過した（タイムアップ）と判定すると処理をＳ３１２（電話回線の開放）へ移行し、経過していないと判定すると処理をＳ３０３（ＮＳＦおよびＤＩＳの送出）へ移行する。
【００３７】
次に、ファクシミリ装置のファクシミリ転送処理部が行うファクシミリ転送処理を図１０の第１の実施例におけるファクシミリ転送処理の流れを示すフローチャートの図中Ｓで表すステップにしたがって図１および図３を参照しながら説明する。
Ｓ４０１：ファクシミリ転送処理部２０４は、転送対象ジョブポインタ３０６の内容をクリアする。
Ｓ４０２：転送対象ジョブポインタ３０６をクリアしたファクシミリ転送処理部２０４は、転送対象ジョブ探索処理を行う。
【００３８】
ここで、ファクシミリ転送処理部２０４が行う転送対象ジョブ探索処理を図１１の第１の実施例における転送対象ジョブ探索処理の流れを示すフローチャートの図中Ｓで表すステップにしたがって図１および図３を参照しながら説明する。
Ｓ５０１：ファクシミリ転送処理部２０４は、転送待ち状態の受信ジョブを探索する。すなわち、ファクシミリ転送処理部２０４は、受信ジョブリスト３０５に記憶された受信ジョブを逐次参照し、図４に示す状態列４０２が転送待ち状態を表す値である受信ジョブが１つ見つかるか、または受信ジョブリスト３０５の末尾まで探索しても状態列４０２が転送待ち状態を表す値である受信ジョブが見つからない場合、受信ジョブリスト３０５の探索を終了する。
【００３９】
Ｓ５０２：受信ジョブリスト３０５の探索を終了したファクシミリ転送処理部２０４は、転送待ち状態の受信ジョブの有無を判定し、転送待ち状態の受信ジョブが有ると判定すると処理をＳ５０３へ移行し、転送待ち状態の受信ジョブが無いと判定すると本処理を終了する。
Ｓ５０３：転送待ち状態の受信ジョブが有ると判定したファクシミリ転送処理部２０４は、見つけた受信ジョブのアドレスを転送対象ジョブポインタ３０６に記憶し、本処理を終了する。
【００４０】
図１０の説明に戻り、
Ｓ４０３：転送対象ジョブ探索処理を終了したファクシミリ転送処理部２０４は、転送対象ジョブポインタ３０６に受信ジョブのアドレスが記憶されているか否かを判定し、記憶されていると判定すると処理をＳ４０４へ移行し、記憶されていないと判定すると処理をＳ４０１へ移行する。
Ｓ４０４：転送対象ジョブポインタ３０６に受信ジョブのアドレスが記憶されていると判定したファクシミリ転送処理部２０４は、ファクシミリ転送のためのファクシミリ送信処理を行い、処理をＳ４０１へ移行する。
【００４１】
次に、ファクシミリ転送処理部２０４が行うファクシミリ転送のためのファクシミリ送信処理を図１２の第１の実施例におけるファクシミリ送信処理の流れを示すフローチャートの図中Ｓで表すステップにしたがって図１および図３を参照しながら説明する。
Ｓ６０１：ファクシミリ転送処理部２０４は、ファクシミリインタフェース１０６を介して電話回線を捕捉する。
Ｓ６０２：電話回線を捕捉したファクシミリ転送処理部２０４は、Ｔ．３０勧告に規定された信号であるＣＮＧを送出する。
【００４２】
Ｓ６０３：ＣＮＧを送出したファクシミリ転送処理部２０４は、Ｔ．３０勧告に規定された信号であるＮＳＦを受信したか否かを判定し、受信したと判定すると処理をＳ６０４へ移行し、受信しなかったと判定すると処理をＳ６１２へ移行する。
Ｓ６０４：ＮＳＦを受信したと判定したファクシミリ転送処理部２０４は、受信したＮＳＦを解析し、ファクシミリ転送を継続するか否かを判定し、ファクシミリ転送を継続すると判定すると処理をＳ６０８へ移行し、ファクシミリ転送を継続しないと判定すると処理をＳ６０５へ移行する。
【００４３】
ファクシミリ転送を継続するか否かの判定は、次の条件１から条件３のすべての条件が満たされた場合にファクシミリ転送を継続しないと判定し、さもなければファクシミリ転送を継続すると判定するものとする。
（条件１）受信したＮＳＦに含まれる図５に示すＦＩＦ５００の転送有効フラグ５０１が真を示している。
（条件２）受信したＮＳＦに含まれる図５に示すＦＩＦ５００の転送先電話番号５０２が自局番号記憶部３０１の内容と一致している。
（条件３）受信したＮＳＦに含まれる図５に示すＦＩＦ５００の設定更新時刻５０３が設定更新時刻記憶部３０４に記憶された時刻よりも現在の時刻に近い時刻を示している。
【００４４】
Ｓ６０５：ファクシミリ転送を継続しないと判定したファクシミリ転送処理部２０４は、Ｔ．３０勧告に規定された信号であるＤＣＮを送出する。
Ｓ６０６：ＤＣＮを送出したファクシミリ転送処理部２０４は、電話回線を解放する。
Ｓ６０７：電話回線を解放したファクシミリ転送処理部２０４は、転送失敗処理を行い、ファクシミリ転送を行うことなく本処理を終了する。
【００４５】
ここで、ファクシミリ転送処理部２０４が行う転送失敗処理を図１３の第１の実施例における転送失敗処理の流れを示すフローチャートの図中Ｓで表すステップにしたがって図１および図３を参照しながら説明する。
Ｓ７０１：ファクシミリ転送処理部２０４は、転送対象ジョブポインタ３０６が指し示す受信ジョブの図４に示す状態列４０２に「印刷待ち」状態を表す値を記憶する。
Ｓ７０２：ファクシミリ転送処理部２０４は、転送有効フラグ３０３に「偽」を記憶し、転送機能を無効に設定して本処理を終了する。
【００４６】
図１２の説明に戻り、
Ｓ６０８：Ｓ６０４において、ファクシミリ転送を継続すると判定したファクシミリ転送処理部２０４は、Ｔ．３０勧告に規定された信号であるＤＣＳを送出する。
Ｓ６０９：ＤＣＳを送出したファクシミリ転送処理部２０４は、通常のファクシミリ送信を行う。通常のファクシミリ送信とは、ファクシミリインタフェース１０６を介し、Ｔ．３０勧告に則って画像情報を送信する処理であり、公知の動作であるため詳細な説明は省略する。
【００４７】
Ｓ６１０：ファクシミリ送信を行ったファクシミリ転送処理部２０４は、電話回線を解放する。
Ｓ６１１：電話回線を解放したファクシミリ転送処理部２０４は、転送対象ジョブポインタ３０６が指し示す受信ジョブおよびその受信ジョブに係る画像情報を削除し、本処理を終了する。
【００４８】
Ｓ６１２：一方、Ｓ６０３において、ＮＳＦを受信しなかったと判定したファクシミリ転送処理部２０４は、Ｔ．３０勧告に規定された信号であるＤＩＳを受信したか否かを判定し、受信したと判定すると処理をＳ６０８へ移行し、受信しなかったと判定すると処理をＳ６１３へ移行する。
Ｓ６１３：ＤＩＳを受信しなかったファクシミリ転送処理部２０４は、Ｓ６０１における回線捕捉からＴ．３０勧告に則った所定の時間が経過したか否かを判定し、経過した（タイムアップ）と判定すると処理をＳ６０５（ＤＣＮの送出）へ移行し、経過していないと判定すると処理をＳ６０２（ＣＮＧの送出）へ移行する。
【００４９】
次に、印刷処理部が行う印刷処理を図１４の第１の実施例における印刷処理の流れを示すフローチャートの図中Ｓで表すステップにしたがって図１および図３を参照しながら説明する。
Ｓ８０１：印刷処理部２０２は、印刷待ち状態の受信ジョブを探索する。すなわち、印刷処理部２０２は、受信ジョブリスト３０５に記憶された受信ジョブを逐次参照し、図４に示す状態列４０２が印刷待ち状態を表す値である受信ジョブが１つ見つかるか、または受信ジョブリスト３０５の末尾まで探索しても状態列４０２が印刷待ち状態を表す値である受信ジョブが見つからない場合、受信ジョブリスト３０５の探索を終了する。
【００５０】
Ｓ８０２：受信ジョブリスト３０５の探索を終了した印刷処理部２０２は、印刷待ち状態の受信ジョブの有無を判定し、印刷待ち状態の受信ジョブが有ると判定すると処理をＳ８０３へ移行し、印刷待ち状態の受信ジョブが無いと判定すると所定の時間間隔をおいて処理をＳ８０１へ移行する。
Ｓ８０３：印刷待ち状態の受信ジョブが有ると判定した印刷処理部２０２は、見つけた受信ジョブの図４に示す画像アドレス列４０１が指し示す画像情報を印刷し、出力する。
Ｓ８０４：画像情報を印刷した印刷処理部２０２は、当該受信ジョブおよび当該画像情報を削除し、処理を８０１へ移行して印刷待ち状態の受信ジョブを探索する。
【００５１】
続いて、本実施例のファクシミリシステムの動作を説明する。
図１５は第１の実施例における動作時のＲＡＭの構成を示す説明図であり、図２に示すファクシミリシステム４のファクシミリ装置１およびファクシミリ装置２のそれぞれの図１および図３に示すＲＡＭ１０３の状態を示している。
【００５２】
図１５において、本実施例では、ファクシミリ装置１の自局番号記憶部３０１ａは電話番号「ＸＸＸＸＸＸ１２３４」、転送先記憶部３０２ａは電話番号「ＸＸＸＸＸＸ６７８９」、転送有効フラグ３０３ａは「真」、設定更新時刻記憶部３０４ａは時刻２０１２年３月５日２２時００分を示す「２０１２０３０５２２００」を記憶し、ファクシミリ装置２の自局番号記憶部３０１ｂは電話番号「ＸＸＸＸＸＸ６７８９」、転送先記憶部３０２ｂは電話番号「ＸＸＸＸＸＸ１２３４」、転送有効フラグ３０３ｂは「真」、設定更新時刻記憶部３０４ｂは時刻２０１２年３月６日９時００分を示す「２０１２０３０６０９００」を記憶しているものとする。
【００５３】
すなわち、ファクシミリ装置１とファクシミリ装置２は、互いに他方を転送先として転送機能が設定されている状態である。さらに、ファクシミリ装置１の転送設定に比較してファクシミリ装置２の転送設定がファクシミリ装置１の転送設定よりも後に更新されているため、操作者はファクシミリ装置２からファクシミリ装置１への転送を望んでおり、ファクシミリ装置１からファクシミリ装置２への転送は望んでいないと考えられる。
【００５４】
図１５に示すように転送設定がされたファクシミリシステムにおいて図２に示すファクシミリ装置３からファクシミリ装置１に対してファクシミリ送信された場合の動作例を図１６に基づいて説明する。
ファクシミリ装置３からファクシミリ装置１に対してファクシミリ送信されると、ファクシミリ装置１は、ファクシミリ受信（図９に示すＳ３０１〜Ｓ３０６）を行い、受信ジョブを転送待ち状態として受信ジョブリストに記憶（図９に示すＳ３０７〜Ｓ３０９）する。
【００５５】
ファクシミリ受信したファクシミリ装置１は、ファクシミリ転送処理（図１０に示すＳ４０１〜Ｓ４０４）を開始し、ファクシミリ装置２に対してＣＮＧを送出（図１２に示すＳ６０２）する。
ファクシミリ装置２は、着信に応答し、図５に示すＦＩＦ５００を含むＮＳＦおよびＤＩＳをファクシミリ装置１に対して送出（図９に示すＳ３０１〜Ｓ３０３）する。
【００５６】
ファクシミリ装置１は、ファクシミリ装置２からＮＳＦを受信し、そのＮＳＦを解析（図１２に示すＳ６０４）する。ファクシミリ装置１は、受信したＮＳＦに含まれるＦＩＦが図１２のＳ６０４で説明した条件１〜条件３のすべてを満たすため、ＤＣＮを送出して転送失敗処理（図１２に示すＳ６０５〜Ｓ６０７）を行い、さらに転送設定の解除（図１３に示すＳ７０２）を行う。
このように、ファクシミリ装置３からファクシミリ装置１に対してファクシミリ送信された場合、ファクシミリ装置１はファクシミリ転送処理を行うことなく処理を終了する。
【００５７】
次に、図１５に示すように転送設定がされたファクシミリシステムにおいて図２に示すファクシミリ装置３からファクシミリ装置２に対してファクシミリ送信された場合の動作例を図１７に基づいて説明する。
ファクシミリ装置３からファクシミリ装置２に対してファクシミリ送信されると、ファクシミリ装置２は、ファクシミリ受信（図９に示すＳ３０１〜Ｓ３０６）を行い、受信ジョブを転送待ち状態として受信ジョブリストに記憶（図９に示すＳ３０７〜Ｓ３０９）する。
【００５８】
ファクシミリ受信したファクシミリ装置２は、ファクシミリ転送処理（図１０に示すＳ４０１〜Ｓ４０４）を開始し、ファクシミリ装置１に対してＣＮＧを送出（図１２に示すＳ６０２）する。
ファクシミリ装置１は、着信に応答し、図５に示すＦＩＦ５００を含むＮＳＦおよびＤＩＳをファクシミリ装置２に対して送出（図９に示すＳ３０１〜Ｓ３０３）する。
【００５９】
ファクシミリ装置２は、ファクシミリ装置１からＮＳＦを受信し、そのＮＳＦを解析（図１２に示すＳ６０４）する。ファクシミリ装置２は、受信したＮＳＦに含まれるＦＩＦが図１２のＳ６０４で説明した条件３が満たされないため、ＤＣＳを送出（図１２に示すＳ６０８）して通常のファクシミリ送信（図１２に示すＳ６０９〜Ｓ６１１）を行う。
このように、ファクシミリ装置３からファクシミリ装置２に対してファクシミリ送信された場合、ファクシミリ装置２は予め設定された転送設定にしたがってファクシミリ転送処理を行う。
【００６０】
図１６を用いて説明したように、図１２のＳ６０４で説明した条件１〜条件３のすべてを満たすとき、ファクシミリ装置１からファクシミリ装置２へのファクシミリ転送は行われないため、ファクシミリ装置１とファクシミリ装置２とが互いに転送しあってしまうことを防ぐことができる。
また、図１２のＳ６０４で説明した条件１〜条件３のすべてを満たすファクシミリ装置１は、転送設定を解除するため、電話機を用いてファクシミリ装置１の転送設定を解除する必要がなくなり、ファクシミリ装置１と電話機がつながらない場合に電話をかけ直す必要がなくなる。
【００６１】
なお、図１７を用いて説明したように、ファクシミリ装置２からファクシミリ装置１へのファクシミリ転送は行われるため、操作者はファクシミリ装置１へ赴けば転送されたファクシミリ画像を入手することができる。
以上説明したように、第１の実施例では、転送元のファクシミリ装置に転送設定を行なうことにより、転送先のファクシミリ装置からのファクシミリ転送を防止することができ、転送元のファクシミリ装置と転送先のファクシミリ装置とが互いにファクシミリ転送しあってしまうことを防止することができるという効果が得られる。
【実施例２】
【００６２】
第２の実施例の構成は、第１の実施例で説明した受信ジョブリストの構成が異なっている。その第２の実施例の構成を図１８の第２の実施例における受信ジョブリストの構成を示す説明図に基づいて説明する。なお、上述した第１の実施例と同様の部分は、同一の符号を付してその説明を省略する。
図１８において、最終試行時刻列４５１は、当該受信ジョブの転送が最後に試行された時刻を記憶する領域である。
試行回数列４５２は、当該受信ジョブのファクシミリ転送が試行された回数を記憶する領域である。ここで、ファクシミリ転送が試行された回数とは、ファクシミリ転送処理において転送失敗処理が行われた回数である。
【００６３】
上述した構成の作用について説明する。
第２の実施例は、転送対象ジョブ探索処理および転送失敗処理が上述した第１の実施例と異なっており、その第１の実施例と異なる転送対象ジョブ探索処理および転送失敗処理を説明する。なお、転送対象ジョブ探索処理および転送失敗処理以外の処理は第１の実施例と同様なのでその説明を省略する。
図１に示すファクシミリ転送処理部２０４が行う転送対象ジョブ探索処理を図１９の第２の実施例における転送対象ジョブ探索処理の流れを示すフローチャートの図中Ｓで表すステップにしたがって図１および図３を参照しながら説明する。なお、この転送対象ジョブ探索処理は図１０のＳ４０２において実行される。
【００６４】
Ｓ５５１：ファクシミリ転送処理部２０４は、転送待ち状態の受信ジョブを探索する。すなわち、ファクシミリ転送処理部２０４は、受信ジョブリスト３０５に記憶された受信ジョブを逐次参照し、図４に示す状態列４０２が転送待ち状態を表す値である受信ジョブが１つ見つかるか、または受信ジョブリスト３０５の末尾まで探索しても状態列４０２が転送待ち状態を表す値である受信ジョブが見つからない場合、受信ジョブリスト３０５の探索を終了する。
Ｓ５５２：受信ジョブリスト３０５の探索を終了したファクシミリ転送処理部２０４は、転送待ち状態の受信ジョブの有無を判定し、転送待ち状態の受信ジョブが有ると判定すると処理をＳ５５５へ移行し、転送待ち状態の受信ジョブが無いと判定すると処理をＳ５５３へ移行する。
【００６５】
Ｓ５５３：Ｓ５５２において、転送待ち状態の受信ジョブが無いと判定したファクシミリ転送処理部２０４は、転送を再試行すべき受信ジョブを探索する。すなわち、ファクシミリ転送処理部２０４は、受信ジョブリスト３０５に記憶された受信ジョブを逐次参照し、下記の２つの条件Ａおよび条件Ｂすべてを満たす受信ジョブが１つ見つかるか、または受信ジョブリスト３０５の末尾まで探索しても下記の２つの条件すべてを満たす受信ジョブが見つからない場合、受信ジョブリスト３０５の探索を終了する。
（条件Ａ）受信ジョブリスト３０５の状態列４０２の値が「再送待ち」状態である。
（条件Ｂ）受信ジョブリスト３０５の最終試行時刻列４５１が示す時刻が現在の時刻（ＲＴＣ１０４が示す時刻）よりも所定時間（例えば、１時間）以上過去である。
【００６６】
Ｓ５５４：受信ジョブリスト３０５の探索を終了したファクシミリ転送処理部２０４は、再送待ち状態の受信ジョブの有無を判定し、再送待ち状態の受信ジョブが有ると判定すると処理をＳ５５５へ移行し、再送待ち状態の受信ジョブが無いと判定すると本処理を終了する。
Ｓ５５５：転送待ち状態または再送待ちの受信ジョブが有ると判定したファクシミリ転送処理部２０４は、見つけた受信ジョブのアドレスを転送対象ジョブポインタ３０６に記憶し、本処理を終了する。
【００６７】
次に、図１に示すファクシミリ転送処理部２０４が行う転送失敗処理を図２０の第２の実施例における転送失敗処理の流れを示すフローチャートの図中Ｓで表すステップにしたがって図１および図３を参照しながら説明する。なお、この転送失敗処理は図１２のＳ６０７において実行される。
Ｓ７５１：ファクシミリ転送処理部２０４は、転送対象ジョブポインタ３０６が指し示す受信ジョブの図１８に示す試行回数列４５２の値に「１」を加算して試行回数を更新する。
【００６８】
Ｓ７５２：試行回数を更新したファクシミリ転送処理部２０４は、当該試行回数列４５２の値が３以上であるか否かを判定し、３以上であると判定すると処理をＳ７５５へ移行し、３以上でないと判定すると処理をＳ７５３へ移行する。
Ｓ７５３：当該試行回数列４５２の値が３以上でないと判定したファクシミリ転送処理部２０４は、当該受信ジョブの図１８に示す状態列４０２に「再送待ち」状態を表す値を記憶し、変更する。
【００６９】
Ｓ７５４：さらに、ファクシミリ転送処理部２０４は、当該受信ジョブの図１８に示す最終試行時刻列４５１に現在の時刻（ＲＴＣ１０４が示す時刻）を記憶して更新し、本処理を終了する。
Ｓ７５５：一方、Ｓ７５２において当該試行回数列４５２の値が３以上であると判定したファクシミリ転送処理部２０４は、当該受信ジョブの図１８に示す状態列４０２に「印刷待ち」状態を表す値を記憶して変更し、本処理を終了する。
【００７０】
続いて、本実施例のファクシミリシステムの動作を説明する。
第１の実施例と同様に、図１５に示すように転送設定がされたファクシミリシステムにおいて図２に示すファクシミリ装置３からファクシミリ装置１に対してファクシミリ送信された場合の動作例を図２１に基づいて説明する。
ファクシミリ装置３からファクシミリ装置１に対してファクシミリ送信されると、ファクシミリ装置１は、ファクシミリ受信（図９に示すＳ３０１〜Ｓ３０６）を行い、受信ジョブを転送待ち状態として受信ジョブリストに記憶（図９に示すＳ３０７〜Ｓ３０９）する。
【００７１】
ファクシミリ受信したファクシミリ装置１は、ファクシミリ転送処理（図１０に示すＳ４０１〜Ｓ４０４）を開始し、ファクシミリ装置２に対してＣＮＧを送出（図１２に示すＳ６０２）する。
ファクシミリ装置２は、着信に応答し、図５に示すＦＩＦ５００を含むＮＳＦおよびＤＩＳをファクシミリ装置１に対して送出（図９に示すＳ３０１〜Ｓ３０３）する。
【００７２】
ファクシミリ装置１は、ファクシミリ装置２からＮＳＦを受信し、そのＮＳＦを解析（図１２に示すＳ６０４）する。ファクシミリ装置１は、受信したＮＳＦに含まれるＦＩＦが図１２のＳ６０４で説明した条件１〜条件３のすべてを満たすため、ＤＣＮを送出（図１２に示すＳ６０５）して転送失敗処理（図１２に示すＳ６０６〜Ｓ６０７）を行い、さらに当該受信ジョブを再送待ち状態に変更（図２０に示すＳ７５３）する。
ここで、ファクシミリ装置２において、操作者が転送設定を解除する（図８に示すＳ２０１〜Ｓ２０３）ものとする。
【００７３】
一方、ファクシミリ装置１では、当該受信ジョブの転送失敗から所定時間（例えば、１時間）が経過したものとし、ファクシミリ装置１は、ファクシミリ転送処理を開始（図１９に示すＳ５５３〜Ｓ５５５および図１０に示すＳ４０４）し、ファクシミリ装置２に対してＣＮＧを送出（図１２に示すＳ６０２）する。
ファクシミリ装置２は、着信に応答し、図５に示すＦＩＦ５００を含むＮＳＦおよびＤＩＳをファクシミリ装置１に対して送出（図９に示すＳ３０１〜Ｓ３０３）する。
【００７４】
ファクシミリ装置１は、ファクシミリ装置２からＮＳＦを受信し、そのＮＳＦを解析（図１２に示すＳ６０４）する。ファクシミリ装置１は、受信したＮＳＦに含まれるＦＩＦが図１２のＳ６０４で説明した条件１が満たされないため、ＤＣＳを送出（図１２に示すＳ６０８）して通常のファクシミリ送信（図１２に示すＳ６０９〜Ｓ６１１）を行う。
このようにしてファクシミリ装置１は、所定時間経過後に再びファクシミリ転送を試行する。
【００７５】
図２１を用いて説明したように、操作者がファクシミリ装置１へ赴かずにファクシミリ装置２へ赴いた場合、操作者がファクシミリ装置２において転送設定を解除すれば、ファクシミリ装置１からファクシミリ装置２へのファクシミリ転送が行われるため、操作者はファクシミリ装置２において転送されたファクシミリ画像を入手することができる。
例えば、操作者がファクシミリ装置１へ赴くつもりで、ファクシミリ装置２の転送機能を有効に設定してファクシミリ装置２のもとを立ち去った後、その操作者の意図が変わり、ファクシミリ装置１へ赴かずにファクシミリ装置２のもとへ戻った場合であっても、本実施例によれば操作者はファクシミリ装置２においてファクシミリ画像を入手することができる。
【００７６】
以上説明したように、第２の実施例では、第１の実施例の効果に加え、転送先のファクシミリ装置において操作者により転送設定が解除されると、転送元のファクシミリ装置から転送設定が解除された転送先のファクシミリ装置へファクシミリ転送を行うようにしたことにより、操作者は転送設定を解除した転送先のファクシミリ装置でファクシミリ画像を入手することができるという効果が得られる。すなわち、操作者は、より確実に望ましい場所でファクシミリ画像を入手することができるという効果が得られる。
なお、本発明は、ファクシミリ通信を行うことができる装置であれば複合機（ＭＦＰ）などに適用することができる。
【符号の説明】
【００７７】
１、２  ファクシミリ装置
４    ファクシミリシステム
１０１  制御部
１０２  操作パネル
１０３  ＲＡＭ
１０４  ＲＴＣ
１０５  プリンタ
１０６  ファクシミリインタフェース
１０７  スキャナ
２０１  操作処理部
２０２  印刷処理部
２０３  ファクシミリ受信処理部
２０４  ファクシミリ転送処理部
２０５  ファクシミリ送信処理部
２３１  自局番号入力処理部
２３２  転送先入力処理部
２３３  転送モード入力処理部
３０１  自局番号記憶部
３０２  転送先記憶部
３０３  転送有効フラグ
３０４  設定更新時刻記憶部
３０５  受信ジョブリスト
３０６  転送対象ジョブポインタ
【図１】
2014007661.tif 000003
【図２】
2014007661.tif 000004
【図３】
2014007661.tif 000005
【図４】
2014007661.tif 000006
【図５】
2014007661.tif 000007
【図６】
2014007661.tif 000008
【図７】
2014007661.tif 000009
【図８】
2014007661.tif 000010
【図９】
2014007661.tif 000011
【図１０】
2014007661.tif 000012
【図１１】
2014007661.tif 000013
【図１２】
2014007661.tif 000014
【図１３】
2014007661.tif 000015
【図１４】
2014007661.tif 000016
【図１５】
2014007661.tif 000017
【図１６】
2014007661.tif 000018
【図１７】
2014007661.tif 000019
【図１８】
2014007661.tif 000020
【図１９】
2014007661.tif 000021
【図２０】
2014007661.tif 000022
【図２１】
2014007661.tif 000023